(57)【特許請求の範囲】
【請求項１】
光ファイバを抗張力繊維とともに保護チューブに挿入した光ファイバコードにおける前記光ファイバを保護チューブから露出させてシート内部に配線した光ファイバシートであって、
下側シートに配線された光ファイバの上に補助シートを貼り付け、保護チューブの先端部を、前記補助シートに重ならずかつ補助シートの外側端縁との間に離間距離が確保される状態で上側シート及び下側シートに固定し、前記補助シートの上に、保護チューブから露出させた抗張力繊維を配置し、その上に上側シートを貼り合わせことを特徴とする光ファイバシート。
【請求項２】
前記光ファイバコードの保護チューブの先端部をシート内部に挿入して上下のシート間で接着固定して引き留めたことを特徴とする請求項１記載の光ファイバシート。
【発明の詳細な説明】
【０００１】
【発明に属する技術分野】
この発明は、光ファイバシートに関し、特に、シート内部に配線された光ファイバのシート外延出部分を、抗張力繊維および保護チューブで保護して光ファイバコードとした光ファイバシートに関する。
【０００２】
【従来の技術】
図４に示すように、貼り合わせた上下2枚のシート１間に光ファイバ２を配線した光ファイバシート３において、光ファイバ２のシート外延出部分を、当該光ファイバ２に保護チューブ４を被せた光ファイバコード５とする場合、保護チューブ４の端部４ａをシート内部に挿入して引き留めることが行なわれている。
光ファイバ２に光コネクタ６を取り付けた場合、この光コネクタ６に、ケブラー等の抗張力繊維を添わせた通常の光ファイバコードに取り付けた光コネクタと同様な耐引張り力が要求される場合、前記のような単に保護チューブ４を被せただけの光ファイバコード５では、コードの引張り強度が小さく、この光コネクタ６に要求される耐引張り力を得ることはできない。
【０００３】
そこで、コードの引張り強度を大きくするために、図５に示すように、光ファイバ２をケブラー等の抗張力繊維７とともに保護チューブ４に収容した光ファイバコード８を用いることが考えられる。
前記抗張力繊維付き光ファイバコード８を用いる場合、保護チューブ４の端部４ａをシート１に引き留める構造としては、図６、図７に示した光ファイバシート９のように、保護チューブ４の端部４ａをシート１内部に挿入するとともに、保護チューブ４から露出させた抗張力繊維７を光ファイバ２とともに下側のシート１に配置し、その上に上側シート１を貼り合わせることになる。
【０００４】
【発明が解決しようとする課題】
上記従来の光ファイバシート９では、コード自体の引張り強度は確保できるが、極め細い多数本の抗張力繊維７と太い光ファイバ２とを一緒にして上下のシート１を貼り合わせても、上下のシート１間に十分堅固は粘着力が得られないという問題がある。
また、極め細い多数本の抗張力繊維７と光ファイバ２とが混在すると、抗張力繊維７が光ファイバ2と直接接触するために、あるいは光ファイバ２によって僅かではあるが生じる隙間のために、抗張力繊維７が上下のシート１間に十分堅固に粘着固定されず、抗張力繊維７のシートへの引き留め、すなわち光ファイバコード８のシートへの引き留めが十分強固に行なわれないという問題もある。
また、光ファイバ2の配線時に抗張力繊維７が束となって光ファイバ2の下に入り込むと、その影響で光ファイバ2に曲げが生じて、光ファイバ2の曲げ損失が増大する恐れもある。
【０００５】
本発明は上記従来の欠点を解消するためになされたもので、シート内部に配線された光ファイバのシート外延出部分を、保護チューブ内に光ファイバとともに抗張力繊維を挿入した光ファイバコードとする場合に、上下のシートの粘着力不足が生じる恐れがなく、また、抗張力繊維をシート内部に堅固に引き留めて光ファイバコードをシートに堅固に引き留めることができ、また、抗張力繊維の影響で光ファイバに曲げが生じる等の問題の生じない光ファイバシートを提供することを目的とする。
【０００６】
【課題を解決するための手段】
上記課題を解決する本発明は、光ファイバを抗張力繊維とともに保護チューブに挿入した光ファイバコードにおける前記光ファイバを保護チューブから露出させてシート内部に配線した光ファイバシートであって、
下側シートに配線された光ファイバの上に補助シートを貼り付け、保護チューブの先端部を、前記補助シートに重ならずかつ補助シートの外側端縁との間に離間距離が確保される状態で上側シート及び下側シートに固定し、前記補助シートの上に、保護チューブから露出させた抗張力繊維を配置し、その上に上側シートを貼り合わせことを特徴とする。
【０００７】
請求項２の発明は、請求項１の光ファイバシートにおいて、光ファイバコードの保護チューブの先端部をシート内部に挿入して上下のシート間で接着固定して引き留めたことを特徴とする。
【０００８】
【発明の実施の形態】
図１は本発明の一実施形態の光ファイバシート１１の一部切り欠き平面図、図２は図１のＡ−Ａ断面図、図３は図１のＢ−Ｂ断面図である。光ファイバコード８は、前述した図５の通り、光ファイバ２をケブラー等の抗張力繊維７とともに保護チューブ４に収容した構造であり、保護チューブ４を切除して露出させた光ファイバ２が、貼り合わされた上下のシート１間に配線されている。光ファイバコード８の保護チューブ４の端部４ａはシート内部に挿入されており、内部の抗張力繊維７は保護チューブ４から適宜長さだけ露出させている。そして、この抗張力繊維７が露出している部分において適宜広さの補助シート１２を光ファイバ２の上から下側のシート１に貼り付け、この補助シート１２の上に抗張力繊維７を、束にならないように広げて配置し、その上から上側シート１を補助シート１２および下側シート１に貼り合わせている。
【０００９】
前記シート１は、片面に粘着剤を塗布した可撓性軟質樹脂シートであり、材質としては、ポリイミド、ポリエチレンテレフタレート、ポリエチレン、ポリプロピレン、ポリエステル等を用いることができる。補助シート１２は両面に粘着剤を塗布した可撓性軟質樹脂シートであり、シート１と同じ材質を用いることができる。ただし、補助シート１２は上下のシート１より薄いものを用いるとよい。保護チューブ４の材質としては、ナイロンやハイトロレル等を用いることができる。
【００１０】
上記の光ファイバシート１１において、光ファイバコード８は保護チューブ４内にケブラー等の抗張力繊維７を添わせた構造であるから、十分な引張り強度を有する。
そして、抗張力繊維７と光ファイバ２とが別の層に存在するので、多数本の極めて細い抗張力繊維（例えばケブラーの場合は外径１２μｍ程度）７とそれより十分太い光ファイバ（例えばナイロン心線の場合は０．９ｍｍ）２とが混在することで上下のシート１が十分堅固に粘着されないという問題は発生しない。
また、抗張力繊維７は光ファイバ２とは別に補助シート１２と上側のシート１との間で粘着固定されるので、抗張力繊維７が光ファイバ2と直接接触するためにあるいは光ファイバ２によって生じる隙間のために抗張力繊維７が上下のシート１間に十分堅固に粘着固定されない、という問題は発生せず、抗張力繊維７が十分堅固に粘着固定される。したがって、光ファイバコード８のシート１への引き留めは堅固なもとのなる。
また、保護チューブ４の端部４ａは、従来と同じくシート内部に挿入固定されて、保護チューブ４の抜け止めが図られる。この点でも、光ファイバコード８のシート１への引き留めは堅固なもとのなる。
したがって、この光ファイバコード８に図４と同様に光コネクタ６を取り付けた場合に、コードに取り付けた光コネクタ６として要求される耐引張り力を十分満足させることができる。
また、抗張力繊維７は、光ファイバ２を配線した後にその上の補助シート１２上に配置されるから、光ファイバ2の配線時に抗張力繊維７の影響で光ファイバ2に曲げが生じる等の問題も生じない。
【００１１】
上述の実施形態では、光ファイバコード８の保護チューブ４の端部４ａをシート内部に挿入固定したが、保護チューブ４をシート内部に挿入しない構造、例えば保護チューブ４の端面をシート端面に接着固定する等の構造も考えられる。この場合でも、抗張力繊維７がシート内部で堅固に粘着固定されるので、シートへの十分な引き留め力を確保できる。
【００１２】
また、上述の実施形態は、保護チューブ４内の光ファイバ２が１本だけの場合であるが、複数本の光ファイバを抗張力繊維７とともに保護チューブ４内に挿入した構造の光ファイバコードにも適用することができる。
この場合も同じく、複数本の光ファイバを下側のシート１上に配線し、その上に補助シートを貼り付け、この補助シートの上に抗張力繊維７を配置し、その後上側のシート１を貼り合わせる。
【００１３】
【発明の効果】
本発明の光ファイバシートによれば、抗張力繊維と光ファイバとが別の層に存在するので、抗張力繊維と光ファイバとが混在することで上下のシートが十分堅固に粘着されないという問題は発生しない。
また、抗張力繊維が光ファイバとは別に補助シートと上側のシートとの間で粘着固定されるので、抗張力繊維のシート内部への十分堅固な粘着固定が可能であり、光ファイバコードのシートへの引き留めは堅固なもとのなる。
【００１４】
抗張力繊維が光ファイバとは別の層で引き留められるから、光ファイバの配線時に抗張力繊維の影響で光ファイバに曲げが生じる等の問題が生じる恐れもない。
【００１５】
請求項２によれば、保護チューブの端部がシート内部に挿入固定されるので、保護チューブの抜け止めが有効に図られ、抗張力繊維とともに、光ファイバコードのシートへの引き留めが堅固なものとなる。
【図面の簡単な説明】
【図１】本発明の一実施形態の光ファイバシートの一部切り欠き平面図である。
【図２】図１のＡ−Ａ断面図である。
【図３】図１のＢ−Ｂ断面図である。
【図４】光ファイバのシート外延出部を保護チューブで保護した構造の光ファイバシートを説明する平面図である。
【図５】光ファイバとともにケブラー等の抗張力繊維を保護チューブに挿入した光ファイバコードの構造を説明する図である。
【図６】従来の光ファイバシートの一部切り欠き平面図である。
【図７】図６のＣ−Ｃ断面図である。
【符号の説明】
１  シート
２  光ファイバ
４  保護チューブ
４ａ  端部
７  抗張力繊維（ケブラー等）
８  光ファイバコード
１１  光ファイバシート
１２  補助シート
【図１】
0004026742.tif 000002
【図２】
0004026742.tif 000003
【図３】
0004026742.tif 000004
【図４】
0004026742.tif 000005
【図５】
0004026742.tif 000006
【図６】
0004026742.tif 000007
【図７】
0004026742.tif 000008